(57)【要約】【課題】連動情報の登録作業に多大な労力を要することなく、かつ、正常な連動情報で火災監視を行える火災受信機を提供する。【解決手段】予め火災検出階及び地区音響鳴動階の対応関係を示す「火災検出階・地区音響鳴動階」データが格納されたＥＥＰＲＯＭ６を備え、ＭＰＵ１は、選択スイッチ１５及び実行スイッチ１７の操作に応じて、各火災検出階と火災検出階毎に設定された回線番号とを相互に関連付けて「火災検出階・回線番号」データを作成してＥＥＰＲＯＭ６に保存し、感知器回線Ｌを通じて火災を検出したとき、感知器回線Ｌに連動させて制御すべき地区音響回線Ｆの回線番号を「火災検出階・回線番号」データと「火災検出階・地区音響鳴動階」データとに基づいて特定する。【選択図】        図１
2004303008.tif 000002
【特許請求の範囲】
【請求項１】
建物の各階にそれぞれ配設された感知器回線及び地区音響回線が接続され、前記感知器回線の配設階を火災検出階とし、前記感知器回線に連動させて制御すべき地区音響回線の配設階を地区音響鳴動階として建物内を監視する火災受信機において、
予め前記の火災検出階及び地区音響鳴動階の対応関係を示す「火災検出階・地区音響鳴動階」データが格納された記憶手段と、
操作部のスイッチ操作に応じて、各火災検出階と火災検出階毎に設定された回線番号とを相互に関連付けて「火災検出階・回線番号」データを作成し、前記記憶手段に保存する制御手段とを備え、
前記制御手段は、感知器回線を通じて火災を検出したとき、当該感知器回線に連動させて制御すべき地区音響回線の回線番号を前記「火災検出階・回線番号」データと「火災検出階・地区音響鳴動階」データとに基づいて特定することを特徴とする火災受信機。
【請求項２】
建物の各階にそれぞれ配設された感知器回線及び地区音響回線が接続され、前記感知器回線の配設階を火災検出階とし、前記感知器回線に連動させて制御すべき地区音響回線の配設階を地区音響鳴動階として建物内を監視する火災受信機において、
予め前記の火災検出階及び地区音響鳴動階の対応関係を示す「火災検出階・地区音響鳴動階」データが格納された記憶手段と、
操作部のスイッチ操作に応じて、各火災検出階と火災検出階毎に設定された回線番号とを相互に関連付けて「火災検出階・回線番号」データを作成し、前記記憶手段に保存する制御手段とを備え、
前記制御手段は、前記「火災検出階・地区音響鳴動階」データと「火災検出階・回線番号」データとに基づいて、感知器回線の回線番号と当該感知器回線に連動させて制御すべき地区音響回線の回線番号との対応関係を示す「回線番号マトリクス」データを作成して前記記憶手段に保存することを特徴とする火災受信機。
【請求項３】
前記記憶手段に予めキーコードが書き込まれており、前記制御手段は、前記「火災検出階・回線番号」データを前記記憶手段に保存するとき前記キーコードが存在するかどうかを判定し、そのキーコードを確認したときは、キーコードを一旦消去して前記「火災検出階・回線番号」データを保存し、再び前記キーコードを書き込むことを特徴とする請求項１又は２記載の火災受信機。
【請求項４】
前記制御手段は、前記記憶手段に保存された「火災検出階・回線番号」データを読み出すとき、当該記憶手段に前記キーコードが存在するかどうかを判定し、キーコードを確認したときは、キーコードを一旦消去して前記「火災検出階・回線番号」データを読み出し、再び前記キーコードを書き込むことを特徴とする請求項１〜３の何れかに記載の火災受信機。
【請求項５】
前記記憶手段に予めキーコードが書き込まれており、前記制御手段は、前記「回線番号マトリクス」データを前記記憶手段に保存するとき前記キーコードが存在するかどうかを判定し、そのキーコードを確認したときは、キーコードを一旦消去して前記「回線番号マトリクス」データを保存し、再び前記キーコードを書き込むことを特徴とする請求項２〜４の何れかに記載の火災受信機。
【請求項６】
前記制御手段は、前記記憶手段に保存された「回線番号マトリクス」データを読み出すとき、当該記憶手段に前記キーコードが存在するかどうかを判定し、キーコードを確認したときは、キーコードを一旦消去して前記「回線番号マトリクス」データを読み出し、再び前記キーコードを書き込むことを特徴とする請求項２〜５の何れかに記載の火災受信機。
【発明の詳細な説明】
【０００１】
【発明の属する技術分野】
本発明は、感知器回線に連動させて地区音響回線の音響装置を鳴動させる火災受信機に関するものである。
【０００２】
【従来の技術】
従来、火災受信機のメモリには、火報の連動元となる受信回路の回線番号と、受信回路に連動して地区ベルを鳴動させる連動先の制御回路の回線番号とが連動情報として相互に関連付けられて保存されている。これら回線番号は、操作部に設けられた各種スイッチの操作によって登録されたものである（例えば、特許文献１参照）。
【０００３】
【特許文献１】
特開平９−９７３９０号公報（第６頁、図２、図５）
【０００４】
【発明が解決しようとする課題】
しかしながら、前述した従来の火災受信機では、連動情報が回線単位であるため、回線数（回線番号）が増えれば増えるほど、連動情報の登録作業に多大な労力を要していた。
【０００５】
本発明は、かかる課題を解決するためになされたもので、連動情報の登録作業に多大な労力を要することなく、かつ、正常な連動情報で火災監視を行える火災受信機を提供することを目的とする。
【０００６】
【課題を解決するための手段】
（１）本発明に係る火災受信機は、建物の各階にそれぞれ配設された感知器回線及び地区音響回線が接続され、感知器回線の配設階を火災検出階とし、感知器回線に連動させて制御すべき地区音響回線の配設階を地区音響鳴動階として建物内を監視する火災受信機において、予め火災検出階及び地区音響鳴動階の対応関係を示す「火災検出階・地区音響鳴動階」データが格納された記憶手段と、操作部のスイッチ操作に応じて、各火災検出階と火災検出階毎に設定された回線番号とを相互に関連付けて「火災検出階・回線番号」データを作成し、記憶手段に保存する制御手段とを備え、制御手段は、感知器回線を通じて火災を検出したとき、その感知器回線に連動させて制御すべき地区音響回線の回線番号を「火災検出階・回線番号」データと「火災検出階・地区音響鳴動階」データとに基づいて特定する。
【０００７】
（２）本発明に係る火災受信機は、建物の各階にそれぞれ配設された感知器回線及び地区音響回線が接続され、感知器回線の配設階を火災検出階とし、感知器回線に連動させて制御すべき地区音響回線の配設階を地区音響鳴動階として建物内を監視する火災受信機において、予め火災検出階及び地区音響鳴動階の対応関係を示す「火災検出階・地区音響鳴動階」データが格納された記憶手段と、操作部のスイッチ操作に応じて、各火災検出階と火災検出階毎に設定された回線番号とを相互に関連付けて「火災検出階・回線番号」データを作成し、記憶手段に保存する制御手段とを備え、制御手段は、「火災検出階・地区音響鳴動階」データと「火災検出階・回線番号」データとに基づいて、感知器回線の回線番号とその感知器回線に連動させて制御すべき地区音響回線の回線番号との対応関係を示す「回線番号マトリクス」データを作成して記憶手段に保存する。
【０００８】
（３）本発明に係る火災受信機は、前記（１）又は（２）において、記憶手段に予めキーコードが書き込まれており、制御手段は、「火災検出階・回線番号」データを記憶手段に保存するときキーコードが存在するかどうかを判定し、そのキーコードを確認したときは、キーコードを一旦消去して「火災検出階・回線番号」データを保存し、再びキーコードを書き込む。
【０００９】
（４）本発明に係る火災受信機は、前記（１）〜（３）の何れかにおいて、制御手段は、記憶手段に保存された「火災検出階・回線番号」データを読み出すとき、その記憶手段にキーコードが存在するかどうかを判定し、キーコードを確認したときは、キーコードを一旦消去して火災検出階・回線番号」データを読み出し、再びキーコードを書き込む。
【００１０】
（５）本発明に係る火災受信機は、前記（２）〜（４）の何れかにおいて、記憶手段に予めキーコードが書き込まれており、制御手段は、「回線番号マトリクス」データを記憶手段に保存するときキーコードが存在するかどうかを判定し、そのキーコードを確認したときは、キーコードを一旦消去して「回線番号マトリクス」データを保存し、再びキーコードを書き込む。
【００１１】
（６）本発明に係る火災受信機は、前記（２）〜（５）の何れかにおいて、制御手段は、記憶手段に保存された「回線番号マトリクス」データを読み出すとき、その記憶手段にキーコードが存在するかどうかを判定し、キーコードを確認したときは、キーコードを一旦消去して「回線番号マトリクス」データを読み出し、再びキーコードを再び書き込む。
【００１２】
【発明の実施の形態】
実施の形態１．
図１は本発明の実施の形態１を示す火災受信機の回路ブロック図、図２は火災受信機の表示・操作部の詳細図、図３は建物の各階に配設された感知器回線及び地区音響回線の配線図、図４は「火災検出階・地区音響鳴動階」データの説明図である。
【００１３】
これら図において、１はＭＰＵ、２はＲＯＭで、本受信機のシステムを制御するためのプログラム、本発明に関わる制御手段の機能を有するアプリケーションプログラムなどが格納されている。３はスイッチ操作による設定情報や、感知器からの火災検出情報、制御プログラム実行中に発生する処理中情報などをデータとして一時的に保存するためのＲＡＭである。４は、複数の感知器２１を備えた感知器回線Ｌが接続された火災検出回路、５は複数の音響装置２２（例えば地区ベル）を備えた地区音響回線Ｆが接続された地区音響駆動回路である。火災検出回路４及び地区音響駆動回路５は、各回線Ｌ、Ｆに対して１回線づつ接続されており、感知器回線Ｌ及び地区音響回線Ｆは、例えば図３に示すように、建物の各階（１階（１ｆ）〜５階（５ｆ））にそれぞれ配設され、建物の同一階では、それぞれに対応した回線番号が設定されている。例えば、１階（１ｆ）では、回線番号Ｌ１に回線番号Ｆ１、回線番号Ｌ２に回線番号Ｆ２が対応している。
【００１４】
６はＥＥＰＲＯＭで、予め作成された「火災検出階・地区音響鳴動階」データと、後述の「火災検出階・回線番号」データが正常か否かを判別するためのキーコードとが格納されている。前記の「火災検出階・地区音響鳴動階」データは、図４に示すように、連動元となる感知器回線Ｌが配設された階（火災検出階）と、感知器回線Ｌに連動して音響装置２２を鳴動させる連動先の地区音響回線Ｆが配設された階（地区音響鳴動階）とが書き込まれたデータテーブルであり、そのテーブルの地区音響鳴動階の列には、感知器回線Ｌが配設された火災検出階と同じ階、及びその階の直上階が書き込まれている。また、このＥＥＰＲＯＭ６には、後述するが、所定のスイッチ操作によって作成される「火災検出階・回線番号」データが格納されるようになっている。
【００１５】
７は音響部、８は表示Ｉ／Ｆ部で、図２に示すように、１〜１０の回線番号に対応して配列された地区窓部１０と、各種の表示項目に対応して設けられた表示灯１１とが接続されている。９は操作Ｉ／Ｆ部で、警報音を止めるための警報音停止スイッチ１２、地区ベル一時停止スイッチ１３、監視状態に戻すための復旧スイッチ１４、後述するデータ作成モード時において設定項目などを登録するためのオプションスイッチ１５、設定項目などを選択するための選択スイッチ１６、選択された設定項目などを実行させるための実行スイッチ１７などが接続されている（図２参照）。
【００１６】
前記のように構成された火災受信機において「火災検出階・回線番号」データの作成時の動作について図５及び図６を用いて説明する。図５は「火災検出階・回線番号」データを示す図、図６はデータの書込時及び読出時の動作を示すフローチャートである。
例えば、本受信機内に設けられた設定用スイッチ及び電源スイッチ（図示せず）を押下すると、ＭＰＵ１は、データ作成モードに入ったと判断する。そして、データ作成モード時に設定可能な複数の設定項目（詳細に示さず）の中から「火災検出階・回線番号」データの設定項目を選択実行するために、例えば、選択スイッチ１６を４回押して実行スイッチ１７を押し、次いで、再び実行スイッチ１７を押す。すると、各スイッチの操作に応じて、所定の表示灯を所定の表示方法で表示させる。例えば、まず「火災試験」の表示灯１１ａが点灯し、次に「回路電圧Ｅ１」の表示灯１１ｂが点灯する。この時、地区窓部１０側に配列された階及び回線番号共用の「１」に隣接する表示灯１０ａが例えば点滅し、火災検出階と回線番号の設定が可能であることを知らせる。
【００１７】
ここで、実行スイッチ１７を押すと、ＭＰＵ１は、「火災検出階：１」が設定されたと判断してその情報をＲＡＭ３に書き込むと共に、その旨を「１」の表示灯１０ａを通じて知らせる。この状態において、また実行スイッチ１７を押すと、ＭＰＵ１は、各回線Ｌ、Ｆの回線番号「１」が設定されたと判断して、その情報をＲＡＭ３内の火災検出階「１」と関連づけて保存し、その旨を「１」の表示灯１０ａを通じて知らせる。次いで、選択スイッチ１６を１回押した後に実行スイッチ１７を押すと、ＭＰＵ１は、各回線Ｌ、Ｆの回線番号「２」が設定されたと判断して、その情報を前記と同様にＲＡＭ３内の火災検出階「１」と関連づけて保存し、その状態を階及び回線番号共用の「２」の表示灯１０ｂを通じて知らせる。
【００１８】
その後、オプションスイッチ１５を押下すると、ＭＰＵ１は、ＥＥＰＲＯＭ６への登録と判断して、前記「２」の表示灯１０ｂを消灯すると共に、前記「１」の表示灯１０ａを再び点滅状態にし、図６に示す動作に入る。まず、ＥＥＰＲＯＭ６の所定エリアに予め格納されたキーコードが存在するかどうかを判定する（Ｓ１）。キーコードが存在しないときは、ＥＥＰＲＯＭ６に登録されているデータをエラーと判断してＳ５に進むが、キーコードの存在を確認したときは、そのキーコードを一旦消去し（Ｓ２）、次いで、前記の情報「火災検出階：１、回線番号：１，２」をデータとして書き込む（Ｓ３）。その後、一旦消去したキーコードを再び所定のエリアに保存し（Ｓ４）、データの書き込みを終了する。
【００１９】
引き続き、選択スイッチ１６を１回押下した後に実行スイッチ１７を押すと、ＭＰＵ１は、「火災検出階：２」が設定されたと判断してその情報をＲＡＭ３に書き込むと共に、その旨を「２」の表示灯１０ｂを通じて知らせる。この時、「１」の表示灯１０ａは点滅を繰り返している。この状態において、再び選択スイッチ１６を２回押下して実行スイッチ１７を押すと、ＭＰＵ１は、各回線Ｌ、Ｆの回線番号「３」が設定されたと判断して、その情報をＲＡＭ３内の火災検出階「２」と関連づけて保存し、その旨を「３」の表示灯１０ｃを通じて知らせる。この時、「１」の表示灯１０ａは点滅状態を継続し、「２」及び「３」の各表示灯１０ｂ、１０ｃはそれぞれ表示している。
【００２０】
次いで、選択スイッチ１６を３回押して実行スイッチ１７を押すと、ＭＰＵ１は、各回線Ｌ、Ｆの回線番号「４」が設定されたと判断して、その情報を前記と同様にＲＡＭ３内の火災検出階「２」と関連づけて保存し、その状態を「４」の表示灯１０ｄを通じて知らせる。その後、オプションスイッチ１５を押下すると、ＭＰＵ１は、前記と同様にＥＥＰＲＯＭ６への登録と判断して、前記「１」の表示灯１０ａを除く前記「２」〜「４」までの表示灯１０ｂ〜１０ｄを消灯した後に、ＥＥＰＲＯＭ６にキーコードが存在するかどうかを判定する（Ｓ１）。キーコードが存在しないときは、前段に書き込んだ「火災検出階・回線番号」データがエラーと判断して、そのデータを消去して初期化すると共に、データに異常があった旨を異常表示灯１１ｃを通じて知らせる（Ｓ５）。一方、キーコードの存在を確認したときは、前述したように、そのキーコードを一旦消去し（Ｓ２）、次いで、前記の情報「火災検出階：２、回線番号：３，４」をデータとして書き込む（Ｓ３）。その後、一旦消去したキーコードを再び所定のエリアに保存し（Ｓ４）、データの書き込みを終了する。
【００２１】
これ以降の各階毎の「火災検出階・回線番号」データの作成は、前記と同様に選択スイッチ１６と実行スイッチ１７の操作により作成され、ＥＥＰＲＯＭ６への書き込みはキーコードを確認した後に行われる。そして、図５の「火災検出階・回線番号」データのＥＥＰＲＯＭ６への書き込みが終了したら、電源スイッチ（図示せず）をオフするなどして、データ作成モードを終了する。なお、前記「火災検出階・回線番号」データの作成時において、地区窓部１０の「１」〜「１０」の表示灯は、例えば、火災検出階・回線番号の選択可能状態のときは点滅し、火災検出階として設定された状態のときは、前記の選択可能状態のときよりも遅い周期で点滅し、回線番号として設定された状態のときは、点灯するなどのそれぞれ異なった表示を行う。
【００２２】
次に、ＥＥＰＲＯＭ６に書き込んだ各階毎の「火災検出階・回線番号」データを火災検出に基づいて読み出す場合の動作について図４及び図５を参照しながら説明する。なお、「火災検出階・回線番号」データを読み出す際の動作については図６のフローチャートに基づいて説明する。
【００２３】
例えば、２階に配設された感知器回線Ｌ３が火災を感知すると、その感知器回線Ｌ３と接続された火災検出回路４が検出し、その回線番号の情報をＭＰＵ１に通知する。この時、ＭＰＵ１は、図６に示すように、ＥＥＰＲＯＭ６にアクセスしてキーコードが存在するかどうかを判定する（Ｓ１）。キーコードが存在しないときはデータエラーと判断してＳ５に進むが、キーコードの存在を確認したときは、ＥＥＰＲＯＭ６に書き込まれた「火災検出階・回線番号」データが正常であると判断してそのキーコードを一旦消去する（Ｓ２）。その後、「火災検出階・回線番号」データにアクセスし、通知を受けた回線番号から火災検出階を検索する。この場合は、回線番号が「３」であるため火災検出階「２」を読み出し（Ｓ３）、次いで、読み込んだキーコードを所定のエリアに再び保存する（Ｓ４）。
【００２４】
その後、読み込んだ火災検出階「２」をキーとして、ＥＥＰＲＯＭ６内の「火災検出階・地区音響鳴動階」データから連動先の地区音響鳴動階「２，３」を認識する。次に、再び「火災検出階・回線番号」データにアクセスしてキーコードが存在するか否かの判定に入る（Ｓ１）。前記と同様にキーコードの存在を確認したときは、そのキーコードを一旦消去した後に（Ｓ２）、認識した地区音響鳴動階「２，３」をキーとして、その「火災検出階・回線番号」データから回線番号「３，４，５，６」を読み出し（Ｓ３）、前記のキーコードを所定のエリアに保存する（Ｓ４）。
【００２５】
そして、読み出した回線番号「３，４，５，６」に基づいて各地区音響駆動回路５を駆動し、これら回路５にそれぞれ接続された地区音響回線Ｆ３〜Ｆ６を鳴動させる。この場合は、２階の出火階と３階の直上階に配設された地区音響回線Ｆ３〜Ｆ６を通じて音響装置２２をそれぞれ鳴動させる。
【００２６】
以上のように本実施の形態１においては、選択スイッチ１６と実行スイッチ１７とで火災検出階とその階の回線番号を設定するだけで、火災検出時には火災検出階とその直上階の各回線番号が認識できるようになり、このため、特に高層ビルや高層マンションなどに用いられる火災受信機に対する登録作業が大幅に軽減できるという効果がある。
【００２７】
また、「火災検出階・回線番号」データをＥＥＰＲＯＭ６に書き込むときや読み出すときにキーコードが存在するかどうかを判定し、キーコードの存在を確認したときは、そのキーコードを一旦消去し、前記のデータ書き込み終了時、また読み出し終了時に再びキーコードを書き込むようにしているので、例えば、前記データを書き込み、読み出しを行う際に電源オフであっても、次に前記データを書き込み、読み出しを行う際には、キーコードが存在するかどうかを判定することで、前記データが正常であるか異常であるかを判別することができる。そのため、正常なデータを使用でき、火災検出時に誤動作しなくなる。さらに、前記のデータを書き込むときや読み出すときにキーコードの存在を確認できなかった場合、その旨を異常表示灯１１ｃを通じて表示すると共に、データを初期化（データ消去）するようにしているので、エラーデータに対して速やかに対処できるという効果がある。
【００２８】
実施の形態２．
実施の形態２は、前記と同様に選択スイッチ１６と実行スイッチ１７の操作により階毎の「火災検出階・回線番号」データを作成してＥＥＰＲＯＭ６に保存し、この「火災検出階・回線番号」データとＥＥＰＲＯＭ６に予め保存された「火災検出階・地区音響鳴動階」とに基づいて、感知器回線Ｌの回線番号と感知器回線Ｌに連動させて制御すべき地区音響回線Ｆの回線番号との対応関係を示す「回線番号マトリクス」データを作成し（図７参照）、ＥＥＰＲＯＭ６に保存するようにしたものである。この処理は、ＭＰＵ１によって行われる。
【００２９】
前記の「火災検出階・回線番号」データは、実施の形態１と同様にキーコードを確認してからＥＥＰＲＯＭ６に保存するようにしており、また、前記の「回線番号マトリクス」データをＥＥＰＲＯＭ６に保存するとき、前記キーコードが存在するかどうかを判定し、そのキーコードを確認したときはキーコードを一旦消去し、「回線番号マトリクス」データを保存してから再びキーコードをＥＥＰＲＯＭ６に書き込むようにしており、火災検出によりＥＥＰＲＯＭ６から「回線番号マトリクス」データを読み出すときは、前記と同様に、ＥＥＰＲＯＭ６にキーコードが存在するかどうかを判定し、キーコードを確認したときは、キーコードを一旦消去し、「回線番号マトリクス」データを読み出してから再びキーコードをＥＥＰＲＯＭ６に書き込むようにしている。
【００３０】
このように実施の形態２においては、感知器回線Ｌの回線番号と感知器回線Ｌに連動させて制御すべき地区音響回線Ｆの回線番号との対応関係を示す「回線番号マトリクス」データを作成してＥＥＰＲＯＭ６に保存するようにしたので、火災検出時にその「回線番号マトリクス」データから火災検出階とその直上階の回線番号を特定できるようになり、このため、実施の形態１と同じ効果が得られる上に、火災検出時の処理速度がより速くなるという効果がある。
【００３１】
なお、前記の実施の形態では、図６のフローチャートにおいて使用されるデータとして、「火災検出階・回線番号」データ、「回線番号マトリクス」データを示したが、これに限定されず、その他のＥＥＰＲＯＭ６などの記憶手段の保存可能な設定データであってもよい。
【００３２】
【発明の効果】
（１）本発明によれば、操作部のスイッチ操作によって「火災検出階・回線番号」データを作成するだけで、火災検出時には火災検出階とその直上階の各回線番号が認識できるようになり、このため、特に高層ビルや高層マンションなどに用いられる火災受信機に対する登録作業が大幅に軽減できるという効果がある。
【００３３】
（２）本発明によれば、操作部のスイッチ操作によって作成した「火災検出階・回線番号」データを登録した際に「火災検出階・地区音響鳴動階」データとに基づいて、感知器回線の回線番号と感知器回線に連動させて制御すべき地区音響回線の回線番号との対応関係を示す「回線番号マトリクス」データを作成するようにしたので、火災検出時には「回線番号マトリクス」データから火災検出階とその直上階の回線番号を特定できるようになり、このため、特に高層ビルや高層マンションなどに用いられる火災受信機に対する登録作業が大幅に軽減でき、しかも火災検出時の処理速度がより速くなるという効果がある。
【００３４】
（３）本発明によれば、「火災検出階・回線番号」データを記憶手段に保存するとき、キーコードが存在するかどうかを判定し、そのキーコードを確認したときは、キーコードを一旦消去して「火災検出階・回線番号」データを保存し、再びキーコードを書き込むようにしているので、例えば、前記データを書き込み、読み出しを行う際に電源オフであっても、次に前記データを書き込み、読み出しを行う際には、キーコードが存在するかどうかを判定することで、前記データが正常であるか異常であるかを判別することができる。
【００３５】
（４）本発明によれば、記憶手段に保存された「火災検出階・回線番号」データを読み出すとき、記憶手段にキーコードが存在するかどうかを判定し、キーコードを確認したときは、キーコードを一旦消去して「火災検出階・回線番号」データを読み出し、再びキーコードを書き込むようにしているので、例えば、前記データを書き込み、読み出しを行う際に電源オフであっても、次に前記データを書き込み、読み出しを行う際には、キーコードが存在するかどうかを判定することで、前記データが正常であるか異常であるかを判別することができる。
【００３６】
（５）本発明によれば、「回線番号マトリクス」データを記憶手段に保存するときキーコードが存在するかどうかを判定し、そのキーコードを確認したときは、キーコードを一旦消去して「回線番号マトリクス」データを保存し、再びキーコードを書き込むようにしているので、例えば、前記データを書き込み、読み出しを行う際に電源オフであっても、次に前記データを書き込み、読み出しを行う際には、キーコードが存在するかどうかを判定することで、前記データが正常であるか異常であるかを判別することができる。
【００３７】
（６）本発明によれば、記憶手段に保存された「回線番号マトリクス」データを読み出すとき、記憶手段にキーコードが存在するかどうかを判定し、キーコードを確認したときは、キーコードを一旦消去して「回線番号マトリクス」データを読み出し、再びキーコードを書き込むようにしているので、例えば、前記データを書き込み、読み出しを行う際に電源オフであっても、次に前記データを書き込み、読み出しを行う際には、キーコードが存在するかどうかを判定することで、前記データが正常であるか異常であるかを判別することができる。
【図面の簡単な説明】
【図１】本発明の実施の形態１を示す火災受信機の回路ブロック図である。
【図２】火災受信機の表示・操作部の詳細図である。
【図３】建物の各階に配設された感知器回線及び地区音響回線の配線図である。
【図４】「火災検出階・地区音響鳴動階」データの説明図である。
【図５】「火災検出階・回線番号」データを示す図である。
【図６】データの書込時及び読出時の動作を示すフローチャートである。
【図７】「回線番号マトリクス」データを示す図である。
【符号の説明】
１  ＭＰＵ、２  ＲＯＭ、３  ＲＡＭ、４  火災検出回路、５  地区音響駆動回路、６  ＥＥＰＲＯＭ、１０  地区窓部、１５  オプションスイッチ、
１６  選択スイッチ、１７  実行スイッチ。
【図１】
2004303008.tif 000003
【図２】
2004303008.tif 000004
【図３】
2004303008.tif 000005
【図４】
2004303008.tif 000006
【図５】
2004303008.tif 000007
【図６】
2004303008.tif 000008
【図７】
2004303008.tif 000009